(57)【特許請求の範囲】
【請求項１】
外部装置と非接触通信により接続することが可能な画像再生装置であって、
画像データの再生時間を設定する設定手段と、
前記画像データを、前記設定手段により設定された再生時間に従って順次再生する再生手段と、
前記非接触通信による外部装置との接続を検知する検知手段と、
前記検知手段により接続が検知された外部装置から、再生中の画像データの取得要求を受信する受信手段とを有し、
前記再生手段は、前記検知手段により前記外部装置との接続を検知し、前記受信手段により前記再生中の画像データの取得要求を受信した場合、前記再生中の画像データの再生時間を前記設定手段により設定された再生時間より延長することを特徴とする画像再生装置。
【請求項２】
前記再生手段により前記再生中の画像データが次の画像データに切り替わって所定時間以内に、前記検知手段により前記外部装置との接続を検知し、前記受信手段により前記再生中の画像データの取得要求を受信した場合、前記再生中の画像データを、前記再生手段により切り替わる前に再生されていた画像データに切り替えることを特徴とする請求項１に記載の画像再生装置。
【請求項３】
前記再生中の画像データから顔情報を取得する取得手段を有し、
前記再生手段は、前記検知手段により前記外部装置との接続を検知し、前記受信手段により前記再生中の画像データの取得要求を受信した場合、前記取得手段による取得結果に応じて、前記再生中の画像データの前記設定手段により設定された再生時間を延長することを特徴とする請求項１または２に記載の画像再生装置。
【請求項４】
前記再生中の画像データに対して、前記検知手段による検知を実行した回数をカウントするカウント手段を有し、
前記再生手段は、前記検知手段により前記外部装置との接続を検知し、前記受信手段により前記再生中の画像データの取得要求を受信した場合、前記カウント手段によるカウントの結果に応じて、前記再生中の画像データの前記設定手段により設定された再生時間を延長することを特徴とする請求項１または２に記載の画像再生装置。
【請求項５】
前記外部装置との接触の接触時間を測定する測定手段を有し、
前記再生手段は、前記検知手段により前記外部装置との接続を検知し、前記受信手段により前記再生中の画像データの取得要求を受信した場合、前記測定手段による結果に応じて、前記再生中の画像データの前記設定手段により設定された再生時間を延長することを特徴とする請求項１〜３の何れか１項に記載の画像再生装置。
【請求項６】
前記画像データは静止画像データであることを特徴とする請求項１〜５の何れか１項に記載の画像再生装置。
【請求項７】
外部装置と非接触通信により接続することが可能な画像再生装置の画像再生方法であって、
画像データの再生時間を設定する設定工程と、
前記画像データを、前記設定工程において設定した再生時間に従って順次再生する再生工程と、
前記非接触通信による外部装置との接続を検知する検知工程と、
前記検知工程において接続を検知した外部装置から、再生中の画像データの取得要求を受信する受信工程とを有し、
前記再生工程においては、前記検知工程において前記外部装置との接続を検知し、前記受信工程において前記再生中の画像データの取得要求を受信した場合、前記再生中の画像データの再生時間を前記設定工程において設定した再生時間より延長することを特徴とする画像再生方法。
【請求項８】
外部装置と非接触通信により接続することが可能な画像再生装置を制御するためのプログラムであって、
画像データの再生時間を設定する設定工程と、
前記画像データを、前記設定工程において設定した再生時間に従って順次再生する再生工程と、
前記非接触通信による外部装置との接続を検知する検知工程と、
前記検知工程において接続を検知した外部装置から、再生中の画像データの取得要求を受信する受信工程とをコンピュータに実行させ、
前記再生工程においては、前記検知工程において前記外部装置との接続を検知し、前記受信工程において前記再生中の画像データの取得要求を受信した場合、前記再生中の画像データの再生時間を前記設定工程において設定した再生時間より延長することを特徴とするプログラム。
【請求項９】
請求項８に記載のプログラムを記録したことを特徴とするコンピュータ読み取り可能な記録媒体。
【発明の詳細な説明】
【技術分野】
【０００１】
本発明は、記録媒体に記録されている画像データを再生するための画像再生装置、画像再生方法、プログラム及び記録媒体に関するものである。
【背景技術】
【０００２】
スライドショー中に静止画像データを外部に転送するシステムとして、デジタルスチルカメラとプリンタとが接続され、画像のスライドショー表示を行いながらユーザからの印刷指示を受け付けることが可能なシステムが知られている。このシステムでは、スライドショー表示中に印刷指示を受け付けると、印刷指示時に液晶モニタに表示されていた画像の印刷処理が印刷指令ファイルに登録されるとともに、印刷枚数を入力するためにスライドショーの表示時間を延長する。印刷指令ファイルに登録された印刷処理は、スライドショー表示の終了後、プリンタにより実行される。あるいは、印刷指令ファイルに登録された印刷処理は、登録され次第、プリンタにより実行される（例えば、特許文献１参照）。
【０００３】
【特許文献１】特開２００４−２９１６３０号公報
【発明の開示】
【発明が解決しようとする課題】
【０００４】
非接触ＩＣカードなどの出現により、画像データを簡単に他の記録媒体に転送できるようになりつつある。これに伴い、１つの画像データを複数の記録媒体に転送する必要がある場合もある。しかしながら、前述した従来例では、画像再生装置と印刷機とで１対１の関係しか考慮されていなかった。このため、スライドショーで再生している画像データを記録媒体に転送する際、同一の画像データに対して複数回の転送要求があると、画像データを記録媒体に転送している最中にスライドショーが先に進んでしまうという欠点があった。
【０００５】
本発明は前述の問題点に鑑み、スライドショーで再生している画像データを記録媒体に転送する際、同一の画像データに対して複数回の転送要求があっても、全ての転送要求を受け付けることができるようにすることを目的としている。
【課題を解決するための手段】
【０００６】
本発明の画像再生装置は、外部装置と非接触通信により接続することが可能な画像再生装置であって、画像データの再生時間を設定する設定手段と、前記画像データを、前記設定手段により設定された再生時間に従って順次再生する再生手段と、前記非接触通信による外部装置との接続を検知する検知手段と、前記検知手段により接続が検知された外部装置から、再生中の画像データの取得要求を受信する受信手段とを有し、前記再生手段は、前記検知手段により前記外部装置との接続を検知し、前記受信手段により前記再生中の画像データの取得要求を受信した場合、前記再生中の画像データの再生時間を前記設定手段により設定された再生時間より延長することを特徴とする。
【０００７】
本発明の画像再生方法は、外部装置と非接触通信により接続することが可能な画像再生装置の画像再生方法であって、画像データの再生時間を設定する設定工程と、前記画像データを、前記設定工程において設定した再生時間に従って順次再生する再生工程と、前記非接触通信による外部装置との接続を検知する検知工程と、前記検知工程において接続を検知した外部装置から、再生中の画像データの取得要求を受信する受信工程とを有し、前記再生工程においては、前記検知工程において前記外部装置との接続を検知し、前記受信工程において前記再生中の画像データの取得要求を受信した場合、前記再生中の画像データの再生時間を前記設定工程において設定した再生時間より延長することを特徴とする。
【０００８】
本発明のプログラムは、外部装置と非接触通信により接続することが可能な画像再生装置を制御するためのプログラムであって、画像データの再生時間を設定する設定工程と、前記画像データを、前記設定工程において設定した再生時間に従って順次再生する再生工程と、前記非接触通信による外部装置との接続を検知する検知工程と、前記検知工程において接続を検知した外部装置から、再生中の画像データの取得要求を受信する受信工程とをコンピュータに実行させ、前記再生工程においては、前記検知工程において前記外部装置との接続を検知し、前記受信工程において前記再生中の画像データの取得要求を受信した場合、前記再生中の画像データの再生時間を前記設定工程において設定した再生時間より延長することを特徴とする。
【０００９】
本発明の記録媒体は、前記に記載のプログラムを記録したことを特徴とする。
【発明の効果】
【００１０】
本発明によれば、スライドショーによる画像データの再生中に記録媒体に対して転送要求が発生した場合、その都度、再生時間を延長する。これにより、スライドショー実行中に、同一画像に対して複数回の転送要求があっても、全ての転送要求を受け付けることができる。
【発明を実施するための最良の形態】
【００１１】
（第１の実施形態）
以下、本発明の実施形態について図面を参照しながら詳述する。
図１は、本実施形態に係る画像再生装置の内部構成の一例を示すブロック図である。
図１において、画像再生装置１００は、操作部１０１、マイコン１０２、メモリカード１０３、メモリカードＩＦ１０４、デコーダー１０５、画像処理部１０６、表示部１０７、外部ＩＦ１０８、及び非接触ＩＣカードＩＦ１０９を有している。また、画像再生装置１００は、１０９非接触ＩＣカードＩＦを通して外部の非接触ＩＣカード１１０と通信を行う。
【００１２】
操作部１０１は、ユーザによる操作を受け付け、操作の情報をマイコン１０２に通知する。マイコン１０２は、画像再生装置１００のシステム制御を行うマイクロコンピュータである。メモリカード１０３は記録媒体であり、静止画像データなどが保存される。メモリカードＩＦは、メモリカード１０３より静止画像データなどを取得し、デコーダー１０５と非接触ＩＣカードＩＦ１０９とに出力する。デコーダー１０５は、メモリカードＩＦ１０４から入力された静止画像データをデコードして画像処理部１０６に出力する。
【００１３】
画像処理部１０６は、デコーダー１０５より入力される静止画像データを再生して表示部１０７に表示可能な画像信号に変換するとともに、表示部１０７に表示する制御を行う。この際、マイコン１０２からの指示によりＯＳＤ情報を画像信号に重畳することも可能である。また、画像処理部１０６はデコーダー１０５より入力される静止画像データを外部ＩＦ１０８に出力可能な出力信号に変換する。この際、マイコン１０２からの指示によりＯＳＤ情報を出力信号に重畳することも可能である。また、画像処理部１０６は、デコーダー１０５より入力される静止画像データから顔データの個数などを検出する。
【００１４】
表示部１０７は、画像処理部１０６より入力される画像信号を画像として表示する。表示部１０７は、例えば、ＬＣＤなどが挙げられる。外部ＩＦ１０８は、画像処理部１０６より入力される出力信号を外部に出力するためのインターフェースである。外部ＩＦ１０８は、例えば、コンポーネント端子、コンポジット端子、ＨＤＭＩ端子などが挙げられる。非接触ＩＣカードＩＦ１０９は、画像再生装置１００の外部にある非接触ＩＣカード１１０の接続を検知し、接続を確立する。また、画像再生装置１００の外部にある非接触ＩＣカード１１０に対して、メモリカードＩＦ１０４より入力される静止画像データを出力する。また、非接触ＩＣカードからの画像データの取得要求を受信する。
【００１５】
非接触ＩＣカード１１０は、通信機能もしくは接続機能もしくはその両方を備える記録媒体である。非接触ＩＣカード１１０は、非接触ＩＣカードＩＦ１０９と通信と確立したり、非接触ＩＣカードＩＦ１０９より入力される静止画像データを内部記録媒体に保存したりする機能を持つ。
【００１６】
次に、図２のフローチャートを参照しながら、本実施形態の画像再生装置１００がスライドショー中に、非接触ＩＣカード１１０に静止画像データを転送する際の一連の処理を説明する。図２は、本実施形態の画像再生装置１００による静止画像データの転送処理手順の一例を示すフローチャートである。
【００１７】
まず、ステップＳ２０１では、マイコン１０２はメモリカードＩＦ１０４を制御して、メモリカード１０３に記録されているスライドショーを行うための画像データ群のうち、最初の静止画像データをデコーダー１０５に出力させる。デコーダー１０５は入力された静止画像データをデコードして画像処理部１０６に出力する。画像処理部１０６はデコーダー１０５より入力された静止画像データを再生し、画像信号に変換して表示部１０７に出力し、また、静止画像データを出力信号に変換して外部ＩＦ１０８に出力する。表示部１０７は入力された画像信号を画像として表示する。そして、次のステップＳ２０２に進む。
【００１８】
次に、ステップＳ２０２では、マイコン１０２は、再生時間タイマーを０にセットする。ここで、再生時間タイマーとは、静止画像データを再生して表示部１０７に表示される時間をカウントするタイマーである。
【００１９】
次に、ステップＳ２０３では、マイコン１０２は非接触ＩＣカードＩＦ１０９を制御して、画像再生装置１００の外部に非接触ＩＣカード１１０があるか否かを検索する。この検索の結果、非接触ＩＣカードＩＦ１０９が非接触ＩＣカード１１０を検出した場合は、マイコン１０２は非接触ＩＣカードＩＦ１０９を制御して、非接触ＩＣカード１１０と接続を確立し、ステップＳ２０５に進む。一方、非接触ＩＣカードＩＦ１０９が非接触ＩＣカード１１０を検出しなかった場合は、ステップＳ２０４に進む。そして、ステップＳ２０４では、マイコン１０２は再生時間タイマーをインクリメントする。
【００２０】
一方、ステップＳ２０５では、マイコン１０２は、再生時間タイマー≦所定時間、かつ、再生中の静止画像データは非接触ＩＣカード１１０へ転送されたことがないか否かを判断する。この判断の結果、条件を満たしている場合はステップＳ２０６へ進み、条件を満たしていない場合はステップＳ２０７に進む。
【００２１】
次に、ステップＳ２０６では、マイコン１０２はメモリカードＩＦ１０４を制御して、メモリカード１０３に記録されているスライドショーを行うための画像データ群の中で、前回再生していた静止画像データをデコーダー１０５に出力させる。そして、デコーダー１０５は静止画像データをデコードして画像処理部１０６に出力する。画像処理部１０６はデコーダー１０５より入力された静止画像データを再生し、画像信号に変換して表示部１０７に出力し、また、静止画像データを出力信号に変換して外部ＩＦ１０８に出力する。表示部１０７は入力された画像信号を画像として表示する。そして、ステップＳ２０７に進む。
【００２２】
次に、ステップＳ２０７では、マイコン１０２はメモリカードＩＦ１０４を制御して、再生中の静止画像データを画像データの取得要求を行っている非接触ＩＣカードＩＦ１０９に出力する。その後、マイコン１０２は非接触ＩＣカードＩＦ１０９を制御して、静止画像データを非接触ＩＣカード１１０に出力する。そして、ステップＳ２０８に進む。そして、ステップＳ２０８では、マイコン１０２は再生時間タイマーを０にリセットし、ステップＳ２０９に進む。これにより、非接触ＩＣカードの検知回数をカウントすることになり、カウントするたびに再生時間タイマーを０にリセットするため、再生時間を延長することができる。
【００２３】
次に、ステップＳ２０９では、マイコン１０２は、再生時間タイマー≧画像再生時間であるか否かを判断する。この判断の結果、条件を満たしている場合はステップＳ２１０へ進み、条件を満たしていない場合は、ステップＳ２０３へ戻る。ここで画像再生時間とは、スライドショーを進める時間である。例えば、画像再生時間が５秒に設定されている場合は、再生時間タイマーが５秒になる毎に再生する静止画像データを切り替えて順次再生し、スライドショーを実行する。すなわち、再生時間タイマーが所定時間以内である場合は、まだ再生する静止画像データを切り替えないため、ステップＳ２０３に戻る。
【００２４】
次に、ステップＳ２１０では、マイコン１０２は、スライドショーを行うための画像データ群を全て再生したか否かを判断する。この判断の結果、全て再生した場合は、処理を終了する。一方、ステップＳ２１０の判断の結果、再生していない画像データがまだある場合は、ステップＳ２１１に進む。
【００２５】
そして、ステップＳ２１１では、マイコン１０２はメモリカードＩＦ１０４を制御してメモリカード１０３に記録されているスライドショーを行うための画像データ群の中で再生中の静止画像データの次に再生する静止画像データをデコーダー１０５に出力させる。そして、デコーダー１０５は静止画像データをデコードして画像処理部１０６に出力する。画像処理部１０６はデコーダー１０５より入力された静止画像データを再生し、画像信号に変換して表示部１０７に出力し、また、静止画像データを出力信号に変換して外部ＩＦ１０８に出力する。表示部１０７は入力された画像信号を画像として表示する。そして、ステップＳ２０２に戻る。
【００２６】
以上のように本実施形態によれば、スライドショーによる画像データの再生中に記録媒体に対して転送要求が発生した場合、その都度、再生時間タイマーを０にリセットして、再生時間を延長する。これにより、スライドショーの実行中に、同一の画像データに対して複数回の転送要求があっても、全ての転送要求を受け付けることができる。
【００２７】
（第２の実施形態）
本実施形態では、第１の実施形態の変形例について図３のフローチャートを参照しながら説明する。なお、本実施形態の画像再生装置の構成は、第１の実施形態と同様であるため、説明は省略する。図３は、本実施形態の画像再生装置１００による静止画像データの転送処理手順の一例を示すフローチャートである。
【００２８】
まず、ステップＳ３０１では、マイコン１０２はメモリカードＩＦ１０４を制御してメモリカード１０３に記録されているスライドショーを行うための画像データ群の最初の静止画像データをデコーダー１０５に出力させる。そして、デコーダー１０５は静止画像データをデコードして画像処理部１０６に出力する。画像処理部１０６はデコーダー１０５より入力された静止画像データを再生し、画像信号に変換して表示部１０７に出力し、また、静止画像を出力信号に変換して外部ＩＦ１０８に出力する。表示部１０７は入力された画像信号を画像として表示する。そして、ステップＳ２０２に進む。
【００２９】
次に、ステップＳ３０２では、マイコン１０２は画像再生時間を所定値にセットし、ステップＳ３０３に進む。そして、ステップＳ３０３では、マイコン１０２は再生時間タイマーを０にセットし、ステップＳ３０４に進む。
【００３０】
次に、ステップＳ３０４では、マイコン１０２は非接触ＩＣカードＩＦ１０９を制御して、非接触ＩＣカード１１０を検索する。この検索の結果、非接触ＩＣカードＩＦ１０９が非接触ＩＣカード１１０を検出した場合は、マイコン１０２は非接触ＩＣカードＩＦ１０９を制御して、非接触ＩＣカード１１０と接続を確立し、ステップＳ３０５に進む。一方、ステップＳ３０４の検索の結果、非接触ＩＣカードＩＦ１０９が非接触ＩＣカード１１０を検出しなかった場合は、ステップＳ３０９に進む。
【００３１】
次に、ステップＳ３０５では、マイコン１０２はメモリカードＩＦ１０４を制御して、再生中の静止画像データを非接触ＩＣカードＩＦ１０９に出力する。その後、マイコン１０２は非接触ＩＣカードＩＦ１０９を制御して静止画像データを非接触ＩＣカード１１０に出力し、ステップＳ３０６に進む。
【００３２】
次に、ステップＳ３０６では、マイコン１０２はメモリカードＩＦ１０４を制御してメモリカード１０３に記録されているスライドショーを行うための画像データ群の中で再生中の静止画像データの次に再生する静止画像データをデコーダー１０５に出力させる。デコーダー１０５は静止画像データをデコードして画像処理部１０６に出力する。そして、マイコン１０２は、画像処理部１０６を制御して、デコーダー１０５より入力された静止画像データの中から顔情報の個数を取得し、ステップＳ３０７に進む。
【００３３】
ステップＳ３０７では、マイコン１０２は非接触ＩＣカード１１０に静止画像データを転送した回数を測定して計算する。すなわち、非接触ＩＣカードの接触の接触時間を測定する。この計算結果としては、再生中の静止画像データが非接触ＩＣカード１１０に何回転送されたかである。それ以外には、スライドショーが始まってから再生した静止画像データの中で最も多く非接触ＩＣカード１１０に転送した静止画像データの転送回数、スラードショーが始まってから静止画像データを転送した回数などである。そして、ステップＳ３０８に進む。
【００３４】
次に、ステップＳ３０８では、マイコン１０２はステップＳ３０７における顔情報の個数の取得結果及びステップＳ３０８で計算した転送回数の結果を元に、画像再生時間を延長する。その後、ステップＳ３０９に進む。
【００３５】
次に、ステップＳ３０９では、マイコン１０２は再生時間タイマーをインクリメントし、ステップＳ３１０に進む。そして、ステップＳ３１０では、マイコン１０２は再生時間タイマー≧画像再生時間であるか否かを判断する。この判断の結果、条件を満たしている場合はステップＳ３１１へ進み、条件を満たしていない場合はステップＳ３０４へ戻る。
【００３６】
次に、ステップＳ３１１では、マイコン１０２はスライドショーを行うための画像データ群を全て再生したか否かを判断する。この判断の結果、全ての画像データを再生した場合は、処理を終了する。一方、ステップＳ３１１の判断の結果、再生していない画像データがまだある場合はステップＳ３１２に進む。
【００３７】
ステップＳ３１２では、マイコン１０２はメモリカードＩＦ１０４を制御してメモリカード１０３に記録されているスライドショーを行うための画像データ群の中で再生中の静止画像データの次に再生する静止画像データをデコーダー１０５に出力させる。デコーダー１０５は静止画像データをデコードして画像処理部１０６に出力する。画像処理部１０６はデコーダー１０５より入力された静止画像データを再生し、画像信号に変換して表示部１０７に出力し、また、静止画像データを出力信号に変換して外部ＩＦ１０８に出力する。表示部１０７は入力された画像信号を画像として表示する。そして、ステップＳ３０２に戻る。
【００３８】
以上のように本実施形態によれば、スライドショーによる画像データの再生中に記録媒体に対して転送要求が発生した場合、その都度、画像再生時間を延長することにより再生時間を延長する。これにより、スライドショーの実行中に、同一の画像データに対して複数回の転送要求があっても、全ての転送要求を受け付けることができる。
【００３９】
（本発明に係る他の実施形態）
前述した本発明の実施形態における画像再生装置を構成する各手段、並びに画像再生方法の各工程は、コンピュータのＲＡＭやＲＯＭなどに記憶されたプログラムが動作することによって実現できる。このプログラム及び前記プログラムを記録したコンピュータ読み取り可能な記録媒体は本発明に含まれる。
【００４０】
また、本発明は、例えば、システム、装置、方法、プログラムもしくは記録媒体等としての実施形態も可能であり、具体的には、複数の機器から構成されるシステムに適用してもよいし、また、一つの機器からなる装置に適用してもよい。
【００４１】
なお、本発明は、前述した実施形態の機能を実現するソフトウェアのプログラム（実施形態では図２、３に示すフローチャートに対応したプログラム）を、システムまたは装置に直接、または遠隔から供給する場合も含む。そして、そのシステムまたは装置のコンピュータが前記供給されたプログラムコードを読み出して実行することによっても達成される場合を含む。
【００４２】
したがって、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。
【００４３】
その場合、プログラムの機能を有していれば、オブジェクトコード、インタプリタにより実行されるプログラム、ＯＳに供給するスクリプトデータ等の形態であってもよい。
【００４４】
プログラムを供給するための記録媒体としては、例えば、フレキシブルディスク、ハードディスク、光ディスク、光磁気ディスクなどがある。さらに、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ、ＤＶＤ−Ｒ）などもある。
【００４５】
その他、プログラムの供給方法としては、クライアントコンピュータのブラウザを用いてインターネットのホームページに接続する方法がある。そして、前記ホームページから本発明のコンピュータプログラムそのもの、もしくは圧縮され自動インストール機能を含むファイルをハードディスク等の記録媒体にダウンロードすることによっても供給できる。
【００４６】
また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【００４７】
また、その他の方法として、本発明のプログラムを暗号化してＣＤ−ＲＯＭ等の記録媒体に格納してユーザに配布し、所定の条件をクリアしたユーザに対し、インターネットを介してホームページから暗号化を解く鍵情報をダウンロードさせる。そして、その鍵情報を使用することにより暗号化されたプログラムを実行してコンピュータにインストールさせて実現することも可能である。
【００４８】
また、コンピュータが、読み出したプログラムを実行することによって、前述した実施形態の機能が実現される。さらに、そのプログラムの指示に基づき、コンピュータ上で稼動しているＯＳなどが、実際の処理の一部または全部を行い、その処理によっても前述した実施形態の機能が実現され得る。
【００４９】
さらに、その他の方法として、まず記録媒体から読み出されたプログラムが、コンピュータに挿入された機能拡張ボードやコンピュータに接続された機能拡張ユニットに備わるメモリに書き込まれる。そして、そのプログラムの指示に基づき、その機能拡張ボードや機能拡張ユニットに備わるＣＰＵなどが実際の処理の一部または全部を行い、その処理によっても前述した実施形態の機能が実現される。
【図面の簡単な説明】
【００５０】
【図１】本発明の第１の実施形態に係る画像再生装置の内部構成の一例を示すブロック図である。
【図２】本発明の第１の実施形態の画像再生装置よる静止画像データの転送処理手順の一例を示すフローチャートである。
【図３】本発明の第２の実施形態の画像再生装置よる静止画像データの転送処理手順の一例を示すフローチャートである。
【符号の説明】
【００５１】
１００  画像再生装置
１０１  操作部
１０２  マイコン
１０３  メモリカード
１０４  メモリカードＩＦ
１０５  デコーダー
１０６  画像処理部
１０７  表示部
１０８  外部ＩＦ
１０９  非接触ＩＣカードＩＦ
１１０  非接触ＩＣカード
【図１】
0004986881.tif 000002
【図２】
0004986881.tif 000003
【図３】
0004986881.tif 000004